(57)【要約】【課題】  従来の仕切りは収納物を分類しながら収納する際、特定の箇所に収納物が集中すると収納物を取り出して、仕切りを移動して対応する等の繁雑な問題がある。【解決手段】１．収納物を収納ラック等に直に置くのでなく、分類して乗せる仕切り装置（３）を設け、収納物を仕切りと一体で移動する構造とした。２．隣り合う仕切り装置（３）を連結する機構を設け、複数の仕切りを同時に左右に移動出来る構造とした。３．連結した複数の仕切り装置を滑らかに同時に移動できる車を備えた。上記手段を取ることで何れの箇所でも、左右の収納物を取り出すことなく連結器を外し仕切り装置（３）の増設、削減することができる。【選択図】図１
2006150002.tif 000002
【特許請求の範囲】
【請求項１】
収納物を並べて保管する収納用ラックにおいて、該の収納用ラックの載置面と平行な載置部を有する載置部と、これに一体且つ垂直に形成された仕切り部を備えた、仕切り付き載置部材であって複数並べるとき、隣接する仕切り付き載置部を連結固定する機構を備え、仕切り付き載置部と収納用ラックの載置面との間に摩擦の少ない部品を介して移動することを特徴とする仕切り装置を備えた収納用ラック。
【請求項２】
収納物を並べて保管する収納用ラックにおいて、該の収納用ラックの載置面と平行な載置部を有する載置部材と、この載置部材に垂直な仕切り部材を、前記載置部材の載置面に幅方向へ移動できる案内構造を備えた、仕切り付き載置部材であって複数並べるとき、隣接する仕切り付き載置部材を連結固定する機構を備え、仕切り付き載置部材と収納用ラックの載置面との間に摩擦の少ない部品を介して移動することを特徴とする仕切り装置を備えた収納用ラック。
【請求項３】
収納物を並べて保管する収納用引き出しにおいて、該の収納用引き出しの載置面と平行な載置面を有する載置部と、これに一体且つ垂直に形成された仕切り部を備えた、仕切り付き載置部であって複数並べるとき、隣接する仕切り付き載置部を連結固定する機構を備え、仕切り付き載置部の仕切り部上部両端を、摩擦の少ない部品を介し吊るして移動することを特徴とする仕切り装置を備えた収納用引き出し。
【請求項４】
収納物を重ねて保管する収納用ラックにおいて、該の収納用ラックの載置面と平行な載置面を有する仕切りを兼ねる載置部であって、これを重ねるとき、重なり合う載置部の間隔を決める構造を備えるものであって、重なり合う上下の載置部を連結固定する機構を備え、連結した載置部を上方又は下方に移動する吊り具を備えた、載置部が仕切りを兼ねていることを特徴とする仕切り装置を備えた収納用ラック。
【請求項５】
仕切り装置を移動する際に仕切り装置の移動方向を制御する案内手段を備えたことを特徴とする請求項１、２、３、４に記載する収納用ラック及び引き出し。
【発明の詳細な説明】
【技術分野】
【０００１】  本発明は書類やカルテなど、仕切りを設けて分類保管する装置において、特定の箇所の収納物が増加又は減少した際に、仕切りの移動及び増減の対応を容易にした、仕切り装置に関するものである。
【背景技術】
【０００２】  収納用ラック本体に容易に取り付けが出来て、本体に取り付けた状態で、取り付け位置をラックの幅方向に自由に調整出来る仕切り装置がある。その例として特許文献１、特許文献２がある。
又、可動式棚板で収納庫を仕切って細分化し、分類を明確にする棚板を兼ねた仕切りがある。その例として特許文献３がある。
【特許文献１】実用新案登録第３０７７４３６号
【特許文献２】特開２００１−４６１６０
【特許文献３】特開２００１−２７０２７８
【発明の開示】
【発明が解決しようとする課題】
【０００３】  従来の仕切りは収納物を分類しながら収納する際、隣接する特定の箇所に収納物が集中すると収納物を総て取り出して、仕切りを移動して対応するなどの問題がある。
【課題を解決する為の手段】
【０００４】  上記問題解決するために、本発明に関わる収納ラックは、収納物を並べて保管する収納用ラック１において、該の収納用ラックの載置面２と平行な載置部５を有する載置部と、これに一体且つ垂直に形成された仕切り部６を備えた、仕切り付き載置部であって複数並べるとき、隣接する仕切り付き載置部を連結固定する機構１０を備え、仕切り付き載置部と収納用ラックの載置面との間に摩擦の少ない部品９を介して移動する際に仕切り装置の移動方向を制御する案内手段４によることを特徴とする仕切り装置３を備えた収納用ラックとした。
【０００５】  又、上記問題解決するために第２の手段として本発明に関わる収納用ラックは、収納物を並べて保管する収納用ラック１において、該の収納用ラックの載置面２と平行な載置部２１を有する載置部材と、この載置部材に垂直な仕切り部材２５を、前記載置部材の載置面に幅方向へ移動できる案内構造２４を備えた、仕切り付き載置部材であって複数並べるとき、隣接する仕切り付き載置部材を連結固定する機構２３Ａ、２３Ｂを備え、仕切り付き載置部材と収納用ラックの載置面との間に摩擦の少ない部品２１を介して移動する際に仕切り装置の移動方向を制御する案内手段４によることを特徴とする仕切り装置２０を備えた収納用ラックとした。
【０００６】  又、上記問題解決するために第３の手段として本発明に関わる引き出しは、収納物を並べて保管する収納用引き出し４０において、該の収納用引き出しの載置面４１と平行な載置面４５を有する載置部と、これに一体且つ垂直に形成された仕切り部４６を備えた、仕切り付き載置部であって複数並べるとき、隣接する仕切り付き載置部を連結固定する機構４７、４８をを備え、仕切り付き載置部の仕切り部上部両端を、摩擦の少ない部品４９を介し吊るして移動する際に仕切り装置の移動方向を制御する案内手段４４によることを特徴とする仕切り装置４３を備えた収納用引き出しとした。
【０００７】  又、上記問題解決するために第４の手段として本発明に関わる収納用ラックは、収納物を重ねて保管する収納用ラック６０において、該の収納用ラックの載置面６１と平行な載置面６６を有する仕切りを兼ねる載置部であって、これを重ねるとき、重なり合う載置部の間隔を決める構造６７を備えるものであって、重なり合う上下の載置部を連結固定する機構６９Ａ、６９Ｂを備え、連結した載置部を上方又は下方に移動を吊り具６５で行い、移動方向を制御する案内手段６４によることを、特徴とする載置部が仕切りを兼ねた、仕切り装置６３を備えた収納用ラックとした。
【発明の効果】
【０００８】  収納物を分類しながら収納保管する際、特定の箇所に収納物が集中し、仕切りを移動して仕切り幅を広げるなどの必要が生じたとき、収納を増やす箇所の仕切り装置と仕切り装置の連結を切り離し仕切り装置を移動して生じた空間に必要な収納物を保管出来る仕切り装置を増設することが可能である。
【０００９】  分類収納された収納物の特定箇所の収納物が減少し、何れかの仕切り装置の収納物が無くなり仕切り装置が不要となったとき、不要となった仕切り装置の両側の連結を外し、両サイドの仕切り装置の収納物を外に取り出すことなく、不要となった仕切り装置を取り除き、残った両サイドの仕切り装置を引き寄せて連結し、不要となった空間を無くすことが出来る。
【発明を実施する為の最良の形態】
【実施例１】
【００１０】  本発明の実施例を図１乃至図４に基づいて詳細に説明する。図１は本発明になる収納用ラックの斜視全体図である。１は収納用ラックである。２はラックの載置面である。３Ａ、３Ｂ、３Ｃは図２で示す仕切り装置群である。４は仕切り装置群を移動する方向を制御するガイドである。【００１１】  図２はラック１の載置面２を収納物を乗せて移動する仕切り装置の斜視全体図である。３は収納物を乗せて移動する仕切り装置である。５はラック１の載置面２と平行な平面をなす仕切り装置の載置部である。６は前記載置部４の端に垂直に一体で形成された仕切り部である。７は載置部５に垂直な仕切り部６と直角に形成した後壁である。後壁７の下方に伸びた箇所８Ａと載置部５の下方に伸びた箇所８Ｂの一部は収納物を乗せて仕切り装置３を移動するとき、方向を制御する為の案内面として使用する部分である。９は車輪である。収納物を載置部５に乗せて仕切り装置３を左右に滑らかに移動出来るように載置部５の下面に４個並列に配置して取り付けてある。【００１２】  図３は連結噐の斜視全体図である。１０は仕切り装置３と仕切り装置３を分離結合する連結噐である。１０Ａ１はフックで連結棒１０Ｃによりフック１０Ａ２と同相で組み込まれている。又１０Ｂ１はフックの引掛けピンで載置部５後面に１０Ｂ１と同じ位置関係に１０Ｂ２が組み付けてある。【００１３】  図４は図１に示す収納用ラック１に置かれた仕切り装置群３Ａ、３Ｂ、３Ｃの様態を正面から見た簡略図で１１、１２、１３、１４の４例を示す。
１１は仕切り装置３Ａ、３Ｂの連結を離し、３Ａと３Ｂの間に空き１５を設けた図。
１２は３Ａと３Ｂの間に設けた空き１５に予備の仕切り装置３Ｄを装入３Ａ、３Ｄ、３Ｂ、３Ｃを連結した図。
１３は図１の仕切り装置群３Ａ、３Ｂ、３Ｃの３Ｂを３Ａ、３Ｃとの連結を離して外し空き１６を設けた図。
１４は１３の仕切り装置３Ａと３Ｃを連結し、空き１６を無くした図である。【００１４】  このように構成された収納用ラック１の載置面２に置かれた、収納物を乗せて移動する仕切り装置３の作用を図１乃至図４により説明する。図１の仕切り装置群の中の例として、仕切り装置３Ａ又は３Ｂの収納能力が越えて仕切り幅を増設する場合と仕切り装置３Ｂの収納物が無くなり、３Ｂを撤去する場合について以下説明する。【００１５】  図１の３は仕切り装置群であり、それぞれ下面に車輪９を４個取り付けて連結噐１０で連結されているので、何れかの仕切り装置に力を加えることで仕切り装置群を同時に左又は右に移動することが出来る。【００１６】  図１の仕切り装置の３Ａ又は３Ｂの何れかの収納能力が越えて、３Ａと３Ｂの間に新しく仕切り幅を増設する必要が生じたとき。図４の１１の通り、仕切り装置３Ａと３Ｂを連結している連結噐１０のフック１０Ａを引っ掛けピン１０Ｂから外し、仕切り装置３Ａと３Ｂ、３Ｃを左右に移動して、仕切り装置３Ａと３Ｂの間に仕切り装置の増設を可能にする空き１５を設ける。次に図４の１２の通り１１の空き１５に保管量増加に対応する予備の仕切り装置３Ｄを装入し、３Ａを３Ｄの左側面に寄せ、３Ｂ、３Ｃを３Ｄの右側面に寄せて、連結噐１０により、仕切り装置３Ａと３Ｄと連結し、３Ｄと３Ｂ、３Ｃを連結して必要とした仕切り幅の増設を完了する。【００１７】  次に図１の仕切り装置群の何れかの仕切り装置の保管物が無くなり、不要となった仕切り装置の撤去の例を説明する。図４の１４は図１の仕切り装置群の仕切り装置３Ｂの収納保管物が無くなり、仕切り装置３Ａと３Ｂ、３Ｂと３Ｃの連結噐１０のフック１０Ａを引掛けピン１０Ｂから外し、仕切り装置３Ｂを撤去し出来た空き１６を示す。次に図４の１４は仕切り装置３Ａ、３Ｃを図４の１３で生じた空き１６を無くすように引き寄せて連結噐１０で仕切り装置３Ａ、３Ｃを連結して、不要となった仕切り装置３Ｂの撤去を完了する。
【実施例２】
【００１８】  本発明の第２の実施例について、図５乃至図８により説明するが、図の中で実施例１で説明したものと全く同じものについては、同じ符号を付して説明を省略する。図５は本発明になる収納用ラックの斜視全体図である。２０Ａ、２０Ｂ、２０Ｃは図６に示す仕切り装置群である。２１は図８に示す車付きレールである。【００１９】  図６はラック１の載置面２を収納物を並べて乗せ移動する仕切り装置の斜視全体図である。２０は仕切り装置である。２１はラック１の載置面２と平行な平面を成す仕切り装置２０の載置部である。２２は載置部２１の後端部に垂直に一体で形成された後壁である。２３Ａは隣り合う仕切り装置２０と仕切り装置２０を連結するための嵌合用切り欠きである。２３Ｂは前記の嵌合用切り欠き２３Ａと連結するための嵌合用爪である。２４は後壁２２と平行に載置部材２１の上面に設けた案内溝で仕切り部材２５を移動するときの溝である。２５は仕切り部材である。２６は仕切り部材２５を後壁２２に沿って移動する際に載置部材２１の上面に設けた案内溝２４に滑合し案内する滑合部位である。２７は後壁２２上部と滑合、仕切り部材２５を支持移動するときの滑合用切り欠きである。【００２０】  図７は隣り合う仕切り装置２０Ａと２０Ｂの嵌合用切り欠き２３Ａと嵌合用爪２３Ｂを連結した状態を示す。【００２１】  図８は車付きレールの正面図と側面図である。２８は車付きレールである。２９は車で、３０は車の軸である。３１は車の軸を受けるフレームで、３２はフレームの底面でラックの載置面２への取り付け面である。車付きレール２８はラック載置面２の奥と手前、ガイドレール６の内側に平行に２本設置して仕切り装置１８を乗せて移動するレールである。【００２２】  このように構成された収納用ラック１の載置面２を収納物を並べて乗せ移動する仕切り装置２０の作用について、実施例１と異なる点について説明する。第１の特徴は仕切り部材２５と載置部材２１と分離し、仕切り部材２５を載置部材２１上で後壁２２と平行に移動し、隣接する仕切り装置２０の仕切り部材２５との幅を無段階で変更することを可能とした点である。第２の特徴は隣接する仕切り装置２０を連結固定する機構を独立した物として設けるのでなく、載置部材２１の両端に嵌合切り欠き２３Ａ、連結爪２３Ｂを形成し、直に仕切り装置２０を連結固定する方式としたことである。第３の特徴は車付きレール２８をラック１の載置面２に２本平行に取り付け、車付きレール２８の上に仕切り装置２０を乗せて移動する構造としたことである。【００２３】  仕切り装置２０の増設、削減に対応する手段については実施例１の図４で説明したことに同じであるので説明を省略する。
【実施例３】
【００２４】  本発明の第３の実施例について、図９乃至図１１により説明する。図９は本発明になる収納用引き出しの斜視全体図である。４０は引き出しである。４１は引き出しの載置部である。４２は引き出しの側板である。４３Ａ、４３Ｂ、４３Ｃは図１０に示す仕切り装置群である。４４は仕切り装置群を吊るすレールで案内面を兼ねる。【００２５】  図１０は収納物を並べて乗せ移動する仕切り装置の正面図と側面図である。４３は仕切り装置である。４５は仕切り装置４３の載置部であり、４６は４５の一端に垂直に形成された仕切り部である。４７は載置部材４５に形成された仕切り部４６と反対の端に垂直に形成され先端の一部が載置部４５の外側にＵ字形に折り曲げられ、隣接する仕切り装置４３と連結する爪である。４８は前記連結爪４７を引掛けて隣接する仕切り部４６と連結分離する際の干渉を避ける長穴である。４９はＵ溝付き車であり、仕切り部４６の上部両端に２個取り付けてある。５０は軸受けで、５１は軸受け５０の中を通る軸である。Ｕ溝付き車４９は軸５１の両端に各１個ずつ取り付けてある。【００２６】  図１１は、図９のＡ−Ａ矢視断面の拡大図で、仕切り装置４３の仕切り部４６の上部穴４８のある部位の軸受け５０に連結爪４７を引っ掛けて連結をした状態を示す。【００２７】  このように構成された収納物を並べて乗せ、移動する仕切り装置４３の作用について、実施例１、２と異なることについて説明する。第１の特徴は、仕切り部材４６の上部にＵ溝付き車４９を付け、引き出し４０の両側板４２上部に前記Ｕ溝付き車４９用案内を兼ねるレール４４を設けて、仕切り装置４３を吊るして移動出来る構造としたことである。第２の特徴は仕切り部材４６と反対の載置部４５の一端に連結機構を設け連結機能と共に載置部材４５に乗せた重量の半分を支える機能とを兼ね備えたことである。【００２８】  仕切り装置３３の増設、削減の手段については実施例１とほぼ同じであるので説明を省略する。
【実施例４】
【００２９】  本発明の第４の実施例について、図１２乃至図１５により説明する。図１２は本発明になる収納用ラックの斜視全体図である。６０は収納用ラックである。６１はラック６０の載置部である。６２はラック６０の天井上面である。６３Ａ、６３Ｂ、６３Ｃは仕切り装置の群である。６４はガイドレールである。６５は吊り上げ具で６５Ａは吊り上げ具の本体である。６５Ｂは吊り上げロープで、６５Ｃは仕切り装置６３と連結吊り具、６５Ｄは吊り上げロープを結ぶブラケットである。【００３０】  図１３は収納物を重ねて乗せ移動する仕切り装置の斜視全体図である。６３は仕切り装置である。６６は収納物を重ねて収納する載置部で仕切り部を兼ねる。６７は仕切りと仕切りの間隔を決める側板で載置部６６の左右両端に載置部６６と垂直に一体で設けてある。６８は後壁である。６９は連結爪で、６９Ａは側板６７の下の端に爪が上向きについており、６９Ｂは側板６７の上端に爪が下向きに設けてある。【００３１】  図１４は仕切り装置６３を収納用ラック６０に収納する様態を示す斜視全体図である。６５Ｃは連結吊り具で仕切り装置６３を天地を逆にした形状であり、載置部６６の下面が連結吊り具６５Ｃでは上面７０になる。６５Ｄは連結吊り具上面のほぼ中心に設けた仕切り装置群６３Ａ、６３Ｂを昇降するためのロープ取り付け穴を持つブラケットである。図１５は図１４の連結部Ａ−Ａ矢視断面拡大図である。７１は重ねた仕切り装置６３の爪６９Ａ、６９Ｂを包み込むように固定するスライダーロックである。スライダーロック７１は爪６９Ａ、６９Ｂと滑合する形状で仕切り装置６３の奥行きとほぼ同じ長さに形成されている。【００３２】  このように構成された収納物を重ねて乗せ、上下に移動する仕切り装置６３を備えた収納用ラック６０の作用について実施例１、２、３と異なる点について説明する。第１の特徴は仕切りを兼ねた載置部６６に直に収納物を重ねて乗せ、載置部６６の両サイドに仕切り間隔を決める側板６７を設け、仕切り装置６３を重ねて保管する構造としたことである。第２の特徴は両側板６７の上下４カ所に重ねた仕切り装置６３を連結する構造をスライダーロック方式とし、ラック内で仕切り装置６３に収納物を乗せた状態で連結、分離することができる。第３の特徴は、最上部の仕切り装置６３は吊り具６５と連結する構造としたことで連結構造をラック上面６２に吊り上げ具６５を備え複数の仕切り装置群を同時に上下に移動できる構造としたことである。【００３３】  仕切り装置６３の増設、削減の手段については複数の仕切り装置６３を吊り上げる、又は保持等して行う違いはあるが、仕切り装置６３に乗せた収納物を外に取り出すことなく増設、削減する手段は実施例１の図４で説明したことと同様であるので説明を省略する。
【産業上の利用性】
【００３４】  以上実施の形態の４つの例について説明した通り、本発明により収納物を分類保管する際、収納物の増減に対応するとき、左右の仕切りを外し収納物を取り出すこと等の繁雑な作業を無くし効率よく対応できるので、例えば
１．医局、薬局のカルテ、処方箋や個人情報の保管ラックの仕切りに適用することができる。
２．カタログ、情報誌等資料の収納保管ラックの仕切りに適用することができる。
３．事務机の資料の分類の仕切りに適用することができる。
【図面の簡単な説明】
【００３５】
【図１】  本発明になる収納用ラックの斜視全体図である。
【図２】  仕切り装置の斜視全体図である。
【図３】  連結器の斜視全体図である。
【図４】  図１に示す仕切り装置群の様態を正面から見た簡略図である。
【図７】  仕切り装置の連結状態図である。
【図８】  車付レールである。
【図９】  本発明になる引き出しの斜視全体図である。
【図１０】  仕切り装置の正面図と側面図である。
【図１１】  図９のＡ−Ａ矢視断面拡大図である。
【図１４】  仕切り装置を収納用ラックに収納する様態を示す斜視全体図である。
【図１５】  図１４のＡ−Ａ矢視断面拡大図である。
【図５】  本発明になる収納用ラックの斜視全体図である。
【図１２】  本発明になる収納用ラックの斜視全体図である。
【図６】  仕切り装置の斜視全体図である。
【図１３】  仕切装置の斜視全体図である。
【符号の説明】
【００３６】１、６０、収納用ラック
２、６１、収納用ラックの載置部
３、２０、４３、６３、仕切り装置
４、６４、ガイドレール
５、４５、６６、仕切り装置の載置部
６、４６、仕切り部
７、２２、６８、後壁
８、案内面
９、車輪
１０、連結器
１１、１２、１３、１４、図１に示す仕切り装置群の様態４例
１５、１６、図４の簡略図の空き
２１、仕切り装置の載置部材
２３Ａ、嵌合用切り欠き
２３Ｂ、嵌合用爪
２４、案内用溝
２５、仕切り部材
２６、滑合部位
２７、滑合切り欠き
２８、車付きレール
２９、車
３０、５１、軸
３１、軸受けを兼ねるフレーム
３２、フレーム底面
４０、本発明になる収納用引き出し
４１、引き出しの載置部
４２、引き出しの側板
４４、案内面を兼ねるレール
４７、連結爪
４８、干渉を避ける穴
４９、Ｕ溝付き車
５０、軸受け
６２、ラックの天井上面
６５、吊り上げ具
６５Ａ、吊り上げ具の本体
６５Ｂ、吊り上げ具のロープ
６５Ｃ、連結吊り具
６５Ｄ、ブラケット
６６、仕切りを兼ねる載置部
６７、側板
６９、連結爪
６９Ａ、爪が上向き
６９Ｂ、爪が下向き
７０、吊り具上面
７１、スライダーロック
【図１】
2006150002.tif 000003
【図２】
2006150002.tif 000004
【図３】
2006150002.tif 000005
【図４】
2006150002.tif 000006
【図５】
2006150002.tif 000007
【図６】
2006150002.tif 000008
【図７】
2006150002.tif 000009
【図８】
2006150002.tif 000010
【図９】
2006150002.tif 000011
【図１０】
2006150002.tif 000012
【図１１】
2006150002.tif 000013
【図１２】
2006150002.tif 000014
【図１３】
2006150002.tif 000015
【図１４】
2006150002.tif 000016
【図１５】
2006150002.tif 000017